(57)【要約】【課題】スライダを付勢するばね体とイジェクトレバーを付勢するばね体とに別々のコイルばねを用いた場合でも、カードコネクタの長さ寸法がそれらのコイルばねの長さを合わせた寸法に影響されなくなるようにする。落下衝撃によってスライダのロック状態が不慮に解除されないようにする。【解決手段】筐体１側の筒体６の外側と内側とに振り分けてスライダ２を付勢するコイルばね２１とイジェクトレバー５を付勢するコイルばね５１とを配備する。スライダ２側の後側係合面２６ａ，２６ｂとカバー１３側の爪片１５ａ，１５ｂとによってスライダ２を押込み位置で位置決めするためのロック手段を構成する。イジェクトレバー５を押し込むと、イジェクトレバー５のカム面５４ａ，５４ｂが爪片１５ａ，１５ｂを後側係合面２６ａ，２６ｂから離脱させる。【選択図】        図１
2004185897.tif 000002
【特許請求の範囲】
【請求項１】
カード挿入空間を形成する筐体と、この筐体のカード挿入空間に挿入されてきたカードに押されて待機位置からカードセット位置に対応する押込み位置まで押し込まれる前後移動自在なスライダと、このスライダを待機位置に向けて常時弾発付勢する第１ばね体と、上記スライダを待機位置に位置決めする第１ロック手段と、上記スライダを押込み位置に位置決めする第２ロック手段と、押込み操作により上記第２ロック手段による位置決め状態を解除する機能を備えたイジェクトレバーと、このイジェクトレバーを初期位置に向けて常時弾発付勢する第２ばね体と、を備えたカードコネクタにおいて、
上記筐体のカード挿入空間の側部に上記イジェクトレバーの先端部を摺動自在に収容する筒体が配備されていると共に、この筒体の外側にコイルばねでなる上記第１ばね体が嵌合保持され、かつ、この筒体の内側にコイルばねでなる上記第２ばね体が収容されていることを特徴とするカードコネクタ。
【請求項２】
上記イジェクトレバーは、上記筐体に設けられたガイド孔部に挿通されてその先端部が上記筒体に摺動自在に収容されており、上記スライダは、上記筒体と上記イジェクトレバーとに摺動自在に嵌合されてそれらの筒体とイジェクトレバーとによって前後移動が案内されるようになっている請求項１に記載したカードコネクタ。
【請求項３】
上記筐体が、ボディとこのボディに装着された板金製のカバーとを有し、
上記第１ロック手段が、スライダに段付状に設けられた前側係合面と、上記カバーに切起し形成されて上記スライダの待機位置で上記前側係合面に係合することにより上記第１ばね体の付勢力を受け止める弾性を有する爪片とによって形成され、
上記第２ロック手段が、上記前側係合面よりも後側で上記スライダに段付状に設けられた後側係合面と、上記スライダの押込み位置でその後側係合面に係合することにより上記第１ばね体の付勢力を受け止める上記爪片とによって形成され、
上記イジェクトレバーに、このイジェクトレバーの待機位置からの押込み操作によって上記後側係合面に係合している上記爪片を押し上げてその後側係合面から離脱させるカム面が設けられている請求項１又は請求項２に記載したカードコネクタ。
【請求項４】
上記後側係合面と上記爪片と上記カム面との三者が、各別に対応する複数箇所に分割形成されていて、イジェクトレバーを押込み操作したときに、分割されたそれぞれの上記カム面が、分割された上記爪片を分割された上記後側係合面から離脱させるときのタイミングがずれるようになっている請求項３に記載したカードコネクタ。
【請求項５】
分割された上記後側係合面と分割された上記爪片とが筐体の上部と側部とに振り分けて配備され、筐体の上部に位置する爪片の後側係合面からの離脱方向と、筐体の側部に位置する爪片の後側係合面からの離脱方向とが交差する方向になっている請求項４に記載したカードコネクタ。
【請求項６】
上記カード挿入空間に挿入されてきたカードに具備されている凹入部に嵌合してそのカードを上記スライダにハーフロックする山形部を備えたばね片が上記スライダに備わっていると共に、上記ボディに、スライダが押込み位置に達したときに上記ばね片の変位を阻止して上記凹入部からの上記山形部の脱出を阻止するばね片規制部が設けられている請求項１ないし請求項５のいずれか１項に記載したカードコネクタ。
【発明の詳細な説明】
【０００１】
【発明の属する技術分野】
本発明は、カードコネクタ、特にイジェクトレバーの押込み操作を通じてカードセット位置でのカードに対するロック状態を解除することによってカードを排出することができるようになっているカードコネクタに関する。
【０００２】
【従来の技術】
カードコネクタにおいて、筐体のカード挿入空間に挿入したカードによってスライダが待機位置から押込み位置まで押し込まれ、押込み位置に達したスライダがその位置でロックされてカードがカードセット位置に位置決めされるのに対し、イジェクトレバーを押し込むことによってスライダのロック状態を解除すると、ばね体の付勢力でスライダが押込み位置から待機位置まで後退し、それに伴ってカードがカードセット位置から排出されるようになっているものがある。
【０００３】
そして、この種のカードコネクタに関し、特許文献１としての先行例１には、スライダを押込み位置から待機位置に復帰させるためのばね体と、イジェクトレバーを初期位置に復帰させるためのばね体とに別々のコイルばねを用い、それらのコイルばねを軸線方向に並べて配置したものが記載されている。
【０００４】
また、上記先行例１や特許文献２としての先行例２には、スライダをカードセット位置に対応する押込み位置でロックするための手段として、カードに具備されている凹入部に山形の係合体を嵌合させることによるものが記載されていて、そのうち、先行例１では、スライダの押込み位置で係合体がカードの凹入部に対する嵌合方向に弾発付勢されてカードのハーフロック状態が維持されるようになっているのに対し、先行例２では、スライダ側のカム溝によって係合体がカードの凹入部から抜け出さないように定位置に保持されてフルロック状態が維持されるようになっている。ここで、ハーフロック状態とは、カードに大きな引抜き力を加えることによってカードを無理抜きすることのできるロック状態であり、フルロック状態では、カードに大きな引抜き力を加えてもカードが無理抜きされないロック状態のことである。
【０００５】
また、特許文献３としての先行例３には、カードセット位置に挿入されたカードにばね性のロック片の先端部を係止させることによってカードをフルロック状態に維持し、イジェクトレバーを押し込む操作を行うと、イジェクトレバーに具備させたロック片案内手段がロック片によるロック状態を解除するように構成されたカードコネクタについての記載がある。また、このものでは、スライダを押込み位置でロックするための手段として、カム溝とピンとでなるカム機構が採用されている。
【０００６】
【特許文献１】
特開２００２−１６４１１９号公報
特開２００２−１２４３４３号公報
特開２００２−１３４２２４号公報
【０００７】
【発明が解決しようとする課題】
しかしながら、スライダを押込み位置から待機位置に復帰させるばね体と、イジェクトレバーを初期位置に復帰させるばね体とに別々のコイルばねを用いた場合に、先行例１のようにそれらのコイルばねを軸線方向に並べて配置したものは、それら２つのコイルばねの長さを合わせた寸法がカードコネクタの長さ寸法に影響を及ぼすので、カードコネクタの長さを短くしてその小形化を図りにくいという問題がある。
【０００８】
また、先行例１、先行例２又は先行例３では、スライダが押込み位置に確実に位置決めされている場合にカードがカードセット位置に保持されるようになっているので、落下衝撃やイジェクトレバーの誤動作によってスライダの押込み位置でのロック状態が解除されてしまうとカードが不慮に筐体から排出されてしまうことになる。
【０００９】
ところが、先行例１では係合体がカードの凹入部に嵌合する方向に弾発付勢されているに過ぎないために、落下衝撃によって係合体がカードの凹入部から不慮に抜け出てカードが排出されてしまうという事態を生じやすい。
【００１０】
また、先行例２では、係合体をスライダのカム溝に係合させることによってその係合体がカードの凹入部から抜け出さないようにしている。しかし、薄型のカードコネクタではスライダとカム溝との係合幅を大きく確保することに困難が伴うためにその係合幅を比較的小さくせざるを得ない。そのため、落下衝撃などによってスライダとカム溝との係合が外れてロック状態が解除され、カードが不慮に排出されてしまうという事態が起こりやすい。
【００１１】
さらに、先行例３では、スライダのロック状態がカム溝とピンとの係合によって維持されるようになっているので、上記した先行例２の場合と同様に、薄型のカードコネクタではカム溝とピンとの係合幅を大きく確保することに困難が伴うためにその係合幅を比較的小さくせざるを得ない。そのため、落下衝撃などによってカム溝とピンとの係合が外れてロック状態が解除され、カードが不慮に排出されてしまうという事態が起こりやすい。
【００１２】
本発明は以上の状況の下でなされたものであり、スライダを押込み位置から待機位置に復帰させるばね体と、イジェクトレバーを初期位置に復帰させるばね体とに別々のコイルばねを用いた場合でも、カードコネクタの長さ寸法がそれらのコイルばねの長さを合わせた寸法に影響されなくなるような工夫を講じることによって、小形化を図りやすいカードコネクタを提供することを目的とする。
【００１３】
併せて、本発明は、スライダをカードセット位置に対応する押込み位置でロックする手段をカム溝を用いずに構成することによって、落下衝撃やイジェクトレバーの誤動作によりカードが不慮に排出されるという事態の起こりにくいカードコネクタを提供することを目的とする。
【００１４】
さらに、本発明は、スライダが待機位置に位置しているときには筐体のカード挿入空間に挿入されたカードがスライダに対してハーフロックされるようにして、必要に応じてそのカードの抜き差しを繰り返すことを可能にしながら、スライダがカードセット位置に対応する押込み位置でロックされたときには、カードを無理抜きすることのできないフルロック状態に維持することのできるカードコネクタを提供することを目的とする。
【００１５】
【課題を解決するための手段】
本発明に係るカードコネクタは、カード挿入空間を形成する筐体と、この筐体のカード挿入空間に挿入されてきたカードに押されて待機位置からカードセット位置に対応する押込み位置まで押し込まれる前後移動自在なスライダと、このスライダを待機位置に向けて常時弾発付勢する第１ばね体と、上記スライダを待機位置に位置決めする第１ロック手段と、上記スライダを押込み位置に位置決めする第２ロック手段と、押込み操作により上記第２ロック手段による位置決め状態を解除する機能を備えたイジェクトレバーと、このイジェクトレバーを初期位置に向けて常時弾発付勢する第２ばね体と、を備えている。
【００１６】
この構成であると、第１ロック手段によってスライダが待機位置に位置決めされているときにカードがカード挿入空間に挿入され、そのカードによってスライダが第１ばね体の付勢に抗して待機位置から押込み位置まで押し込まれると、第２ロック手段がスライダを押込み位置に位置決めしてロック状態を維持すると共に、カードがカードセット位置に挿入される。スライダが押込み位置でロックされているときにイジェクトレバーが押込み操作されると、それに伴って第２ロック手段によるスライダのロック状態が解除され、第１ばね体の付勢によってスライダが押込み位置から待機位置に復帰して第１ロック手段がスライダを待機位置に位置決めする。
【００１７】
そして、本発明では、上記のように作用するカードコネクタにおいて、上記筐体のカード挿入空間の側部に上記イジェクトレバーの先端部を摺動自在に収容する筒体が配備されていると共に、この筒体の外側にコイルばねでなる上記第１ばね体が嵌合保持され、かつ、この筒体の内側にコイルばねでなる上記第２ばね体が収容されている。
【００１８】
この発明のように、スライダを待機位置に向けて常時弾発付勢する第１ばね体が筒体の外側に嵌合保持されたコイルばねでなり、イジェクトレバーを初期位置に向けて常時弾発付勢する第２ばね体が筒体の内側に収容されたコイルばねでなるという構成を採用すると、第１ばねとしてのコイルばねと第２ばね体としてのコイルばねとが径方向で重なり合って配置される。そのため、スライダを押込み位置から待機位置に復帰させるばね体と、イジェクトレバーを初期位置に復帰させるばね体とに別々のコイルばねが用いられているにもかかわらず、カードコネクタの長さ寸法がそれらのコイルばねの長さを合わせた寸法に影響されなくなり、それだけ小形化を図りやすくなる。また、筒体が第１ばね体としてのコイルばねを保形する作用を発揮するので、スライダが押し込まれたときにそのコイルばねが圧縮されても、所謂コイルばねの腰折れ現象が筒体により防止されてそのコイルばねの動作安定性が確保される。
【００１９】
本発明において、上記イジェクトレバーは、上記筐体に設けられたガイド孔部に挿通されてその先端部が上記筒体に摺動自在に収容されており、上記スライダは、上記筒体と上記イジェクトレバーとに摺動自在に嵌合されてそれらの筒体とイジェクトレバーとによって前後移動が案内されるようになっていることが望ましい。これによれば、筒体とイジェクトレバーとがスライダの前後移動を案内するガイド機能を発揮するので、スライダを前後に案内するための余分なガイド機構やガイド部品を用いる必要がなくなってそれだけ構成が簡略化され、そのことが、当該カードコネクタの小形化薄形化を促進することに役立つ。
【００２０】
本発明では、上記筐体が、ボディとこのボディに装着された板金製のカバーとを有し、上記第１ロック手段が、スライダに段付状に設けられた前側係合面と、上記カバーに切起し形成されて上記スライダの待機位置で上記前側係合面に係合することにより上記第１ばね体の付勢力を受け止める弾性を有する爪片とによって形成され、上記第２ロック手段が、上記前側係合面よりも後側で上記スライダに段付状に設けられた後側係合面と、上記スライダの押込み位置でその後側係合面に係合することにより上記第１ばね体の付勢力を受け止める上記爪片とによって形成され、上記イジェクトレバーに、このイジェクトレバーの待機位置からの押込み操作によって上記後側係合面に係合している上記爪片を押し上げてその後側係合面から離脱させるカム面が設けられている、という構成を採用することができる。
【００２１】
この構成であれば、第１ロック手段の前側係合面と爪片との係合幅（係合深さ）や第２ロック手段の後側係合面と爪片との係合幅（係合深さ）を十分に大きくすることができるために、第１ロック手段によってスライダが待機位置でロックされているとき、並びに、第２ロック手段によってスライダが押込み位置でロックされているときに、落下衝撃が発生したりイジェクトレバーが誤動作したりしたとしても、それらの各状態でのロック状態が容易に解除されることがなくなる。そして、そのように後側係合面と爪片との係合幅を十分に大きくしてスライダの押込み位置でのロック状態が落下衝撃などによっては容易に解除されないようにしておいても、そのロック状態を解除するための手段にイジェクトレバーに設けたカム面を採用し、イジェクトレバーを押込み操作したときにそのカム面が爪片を押し上げてその後側係合面から離脱させるようにしてあるので、イジェクトレバーの押込み操作によるロック解除が確実に行われる。
【００２２】
本発明では、上記後側係合面と上記爪片と上記カム面との三者が、各別に対応する複数箇所に分割形成されていて、イジェクトレバーを押込み操作したときに、分割されたそれぞれの上記カム面が、分割された上記爪片を分割された上記後側係合面から離脱させるときのタイミングがずれるようになっていることが望ましい。
【００２３】
これによれば、複数の後側係合面と複数の爪片とが複数箇所で各別に係合することによってスライダの押込み位置でのロック状態が維持されているため、イジェクトレバーの複数のカム面がそれらの各係合箇所で後側係合面に係合しているそれぞれの爪片の全部をそれぞれの後側係合面から離脱させてはじめてスライダのロック状態が解除され、そのうちの一部の爪片を後側係合面から離脱させただけではスライダのロック状態は解除されない。しかも、イジェクトレバーの複数のカム面が、複数の爪片を複数の後側係合面から離脱させるときのタイミングが各係合箇所でずれるようになっているため、不本意にイジェクトレバーが押込み操作されたような場合でも、それによって直ちにスライダのロック状態が解除されてカードが不慮に排出されるという事態が防止される。
【００２４】
本発明では、分割された上記後側係合面と分割された上記爪片とが筐体の上部と側部とに振り分けて配備され、筐体の上部に位置する爪片の後側係合面からの離脱方向と、筐体の側部に位置する爪片の後側係合面からの離脱方向とが交差する方向になっていることが望ましい。これによれば、落下などによって、筐体の上部で後側係合面に係合している爪片が離脱するような衝撃が加わっても、筐体の側部で後側係合面に係合している爪片が離脱することがなく、その逆に、筐体の側部で後側係合面に係合している爪片が離脱するような衝撃が加わっても、筐体の上部で後側係合面に係合している爪片が離脱することがなくなるため、落下衝撃によってスライダのロック状態が不慮に解除されてしまうという可能性が少なくなる。
【００２５】
本発明では、上記カード挿入空間に挿入されてきたカードに具備されている凹入部に嵌合してそのカードを上記スライダにハーフロックする山形部を備えたばね片が上記スライダに備わっていると共に、上記ボディに、スライダが押込み位置に達したときに上記ばね片の変位を阻止して上記凹入部からの上記山形部の脱出を阻止するばね片規制部が設けられていることが望ましい。これによれば、スライダが待機位置に位置しているときには筐体のカード挿入空間に挿入されたカードがスライダに対してハーフロックされるに過ぎないので、そのときには必要に応じてそのカードの抜き差しを繰り返すことが可能になる。それにもかかわらず、スライダがカードセット位置に対応する押込み位置でロックされたときには、カードを無理抜きすることのできないフルロック状態が維持されるため、カードが不慮に引き抜かれてしまうという事態が起こらない。
【００２６】
【発明の実施の形態】
図１（Ａ）は本発明の実施形態に係るカードコネクタにおいて、待機位置のスライダにカードがハーフロックされている要部の状態を示した一部破断平面図、（Ｂ）は押込み位置でロックされたスライダにカードがフルロックされている要部の状態を示した一部破断平面図、図２（Ａ）は図１（Ａ）の状態での要部の縦断側面図、（Ｂ）は図１（Ｂ）の状態での要部の縦断側面図、（Ｃ）はロック解除作用を示した要部の縦断側面図、図３はカードコネクタの外観図、図４はスライダの外観図、図５はイジェクトレバーの要部の外観図、図６は図１（Ｂ）の要部の拡大断面図である。
【００２７】
このカードコネクタは、図３のように、合成樹脂成形体でなるボディ１２とこのボディ１２に装着された板金製のカバー１３とを備えた筐体１を有し、その筐体１の内部に、カード挿入口１４を有するカード挿入空間が形成されている。また、ボディ１２の前端部にコンタクトが配備されていて、そのコンタクトがカード挿入空間に挿入されてカードセット位置に達したカード（不図示）の電極に弾接して電気的接続が行われるようになっている。
【００２８】
図１のように、筐体１の内部には、カード挿入空間の側部に位置するスライダ２が配備されていて、このスライダ２がコイルばねでなる第１ばね体２１によって待機位置（後述する）に向けて常時弾発付勢されている。また、ボディ１２の挿入口側端部に孔部１４が備わっていて、この孔部１４に挿通されたイジェクトレバー５がコイルばねでなる第２ばね体５１によって初期位置（後述する）に向けて常時弾発付勢されている。また、孔部１４から突出されているイジェクトレバー５の基部には押込み操作部５２が備わっている。さらに、筐体１内の前部に前後方向に長い筒体６が配備されていて、上記した第１ばね体２１がこの筒体６の外側に嵌合状に保持され、上記した第２ばね体５１がこの筒体の内側に収容されている。このように、スライダ２を待機位置に向けて付勢する第１ばね体２１とイジェクトレバー５を初期位置に向けて付勢する第２ばね体５１とが筒体６の外側と内側とに振り分けて配備されていることにより、筐体１の長さ寸法設計値に第１ばね体２１と第２ばね体５１とを合わせた長さ寸法を加味する必要がなくなり、そのことが筐体１の長さ寸法を短くして当該カードコネクタを小形化することに役立っている。
【００２９】
図４のように、スライダ２は、前端部に内向きの突部２２を備えていて、図１のようにこの突部２２によって筐体１のカード挿入空間に挿入されてきたカード１００の前端コーナ部１１０を受け止めるようになっている。また、スライダ２には上記イジェクトレバー５が挿通された孔部２３が備わっていて、図１又は図２のようにその孔部２３に挿通されたイジェクトレバー５の先端部５が上記筒体６に摺動自在に収容されていると共に、スライダ２に具備された逆Ｕ字状の溝形部２に上記筒体６が摺動自在に嵌合されている。この構成により、スライダ２は、イジェクトレバー５と筒体６とによりその前後移動が案内されることになる。
【００３０】
さらに、図４のように、スライダ２には段付状の前側係合面２５とその前側係合面２５より後側に位置する段付状の後側係合面２６とが備わっている。この実施形態では、前側係合面２５と後側係合面２６とのそれぞれが、スライダ２の上面側に位置する上係合面２５ａ，２６ａと、スライダ２の外側面に位置する横係合面２５ｂ，２６ｂとに分割されていて、前側係合面２５に属する上係合面２５ａと横係合面２５ｂとは前後方向で同位置にあり、後側係合面２６に属する上係合面２６ａと横係合面２６ｂとも前後方向で同位置にある。これに対し、カバー１３には図３のように爪片１５が切起し形成されていて、その爪片１５が、カバー１３の上板部１６に位置する上爪片１５ａと側板部１７に位置する横爪片１５ｂとに分割されている。そして、図１（Ａ）及び図２（Ａ）のように、前側係合面２５に属する上係合面２５ａと横係合面２５ｂとに上爪片１５ａと横爪片１５ｂとが各別に係合することにより、第１ばね体２１によって弾発付勢されているスライダ２が待機位置に位置決めされる。すなわち、第１ばね体２１の付勢力を前側係合面２５に係合した爪片１５が受け止めることによってスライダ２が待機位置に位置決めされる。したがって、前側係合面２５と爪片１５とによって第１ロック手段が形成されている。また、図１（Ｂ）及び図２（Ｂ）のように、後側係合面２６に属する上係合面２６ａと横係合面２６ｂとに上爪片１５ａと横爪片１５ｂとが各別に係合することにより、第１ばね体２１によって弾発付勢されているスライダ２が押込み位置に位置決めされる。すなわち、第１ばね体２１の付勢力を後側係合面２６に係合した爪片１５が受け止めることによってスライダ２が待機位置に位置決めされる。したがって、上記後側係合面２６と爪片１５とによって第２ロック手段が形成されている。
【００３１】
図５のように、イジェクトレバー５には、台形状の突起の端面によって形成されたカム面５４が備わっている。この実施形態では、カム面５４が、上向きの上カム面５４ａと横向きの横カム面５４ｂとに分割されている。そして、図２のように、上カム面５４ａが、スライダ２に具備されて上記上係合面２６ａを左右に分割して前後方向に延びるスリット状の溝部２７（図４参照）から上方に突出されているのに対し、横カム面５４ｂが、スライダ２に具備されて上記横係合面２６ｂを上下に分割して前後方向に延びるスリット状の溝部２８（図４参照）から側方に突出されている。ここで、図２（Ａ）に示したように、上カム面５４ａと横カム面５４ｂとは前後方向に寸法Ｙだけ位置ずれしている。
【００３２】
次に、図１のように、スライダ２には、係止片８２を先端部に有する山形部８１を備えたばね片８が取り付けられていて、その山形部８１がスライダ２の内側面に対して出退可能になっていると共に、上記係止片８２が、スライダ２に具備されて前端で開口する溝部２９に弾接状態で係止されている。これに対し、ボディ１２の前端部に前後方向に長いリブ状のばね片規制部１８が備わっていて、このばね片規制部１８が上記溝部２９に臨んでいる。
【００３３】
次に作用を説明する。
【００３４】
初期状態では、図１（Ａ）及び図２（Ａ）のように、スライダ２の前側係合面２５に属する上係合面２５ａと横係合面２５ｂとにカバー１３の上爪片１５ａと横爪片１５ｂとが各別に係合している。これにより、第１ばね体２１によって弾発付勢されているスライダ２が待機位置に位置決めされている。これに対し、イジェクトレバー５は、第２ばね体５１により弾発付勢されて図示の初期位置に位置している。
【００３５】
カード挿入空間にカード１００を挿入すると、そのカード１００の前端コーナ部１１０がスライダ２の突部２２に突き当たると共に、カード１００がばね片８の山形部８１を乗り越えてその山形部８１がカード１００に備わっている凹入部１２０に嵌合する。これによりカード１００がスライダ２にハーフロックされる。このハーフロック状態でカード１００に大きな引抜き力を加えると、カード１００がばね片８を外側へ撓ませながら山形部８１を乗り越えて引き抜かれる。しかし、小さい引抜き力をカード１００に加えたに過ぎないときには、カード１００の引抜きが山形部８１によって阻止される。このため、待機位置に位置しているスライダ２にカード１００がハーフロックされている状態では、振動や衝撃が加わってもその振動や衝撃がそれほど大きくない場合にはカード１００がスライダ２から離れて筐体１の外へ排出されてしまうという事態が起こらない。
【００３６】
図１の状態からさらにカード１００を挿入してスライダ２を押し込むと、スライダ２の後側係合面２６に属する上係合面２６ａ及び横係合面２６ｂが、カバー１３の爪片１５に属する上爪片１５ａ及び横爪片１５ｂをそれぞれ乗り越え、図１（Ｂ）及び図２（Ｂ）のように上爪片１５ａ及び横爪片１５ｂが上係合面２６ａ及び横係合面２６ｂに各別に係合して第１ばね体２１の付勢力を受け止める。これにより、スライダ２が押込み位置に位置決めされてロック状態となり、同時に、図６に拡大して示したように、ばね片規制部１８がスライダ２の溝部２９に嵌まり込んで山形部８１の係止片８２を外側から支える。このため、スライダ２が押込み位置でロックされているときには、係止片８２がばね片規制部１８により支えられて山形部８１の後退が阻止され、そのためにカード１００がスライダ２に対してフルロックされる。したがって、カード１００が無理抜きされることはない。このようにスライダ２が押込み位置でロックされ、かつ、カード１００がスライダ２に対しフルロックされてカード１００の無理抜きが防止されていると、カード１００がカードセット位置から無理抜きされてカード１００の電極とカードコネクタのコンタクトとの電気的接続が不慮に遮断されてしまうという事態が起こらない。
【００３７】
カード排出は次の動作による。すなわち、第２ばね体５１により付勢されて初期位置に位置しているイジェクトレバー５の操作部５２を操作してイジェクトレバー５を押し込むと、図２（Ｃ）のように、最初の段階では、前側に位置している上カム面５４ａが上爪片１５ａを押し上げて上係合面２６ａから離脱させるけれども、その時点では、後側に位置している横カム面５４ｂは、横係合面２６ａに係合している横爪片１５ｂに近づいているだけであって、その横爪片１５ｂを横係合メニュー２６ａから離脱させるまでには至っていない。そして、もう一段の押込み操作がイジェクトレバー５に対して行われると、後側に位置している横カム面５４ｂが横爪片１５ｂを側方へ押して横係合面２６ｂから離脱させる。これによりスライダ２のロック状態が解除され、第１ばね体２１の付勢によってスライダ２が待機位置に復帰する。その際、カード１００はスライダ２にハーフロックされたままになっているので、カード１００がスライダ２から離れて筐体１の外へ飛び出してしまうという事態は起こりにくい。
【００３８】
上記から判るように、この実施形態ては、押込み位置でロックされたスライダのロック状態は、イジェクトレバー５の２段階の押込み操作（２アクション）によってはじめて解除されるようになっている。そのため、イジェクトレバー５が不本意に押込み操作されたようなときに容易にスライダ２がロック解除されることがなくなり、そのことが、カード１００の電極とカードコネクタのコンタクトとの電気的接続が不慮に遮断されてしまうという事態を防ぐことに役立つ。
【００３９】
また、この実施形態では、スライダ２の後側係合面２６とカバー１３の爪片１５とが、９０度の角度を保って配備された２つずつの上係合面２６ａと横係合面２６ｂ、並びに、上爪片１５ａと横爪片１５ｂとに分割されているので、落下などによって上係合面２６ａに係合している上爪片１５ａが離脱するような衝撃が加わっても、横係合面２６ｂに係合している横爪片１５ｂが離脱することがなく、その逆に、横係合面２６ｂに係合している横爪片１５ｂが離脱するような衝撃が加わっても、上係合面２６ａに係合している上爪片１５ａが離脱することがなくなる。そのため、落下衝撃によってスライダのロック状態が不慮に解除されてしまうという可能性が少ない。
【００４０】
この実施形態では、スライダ２に設けた後側係合面２６にカバー２に設けた爪片１５を係合させることによってスライダ２を押込み位置でロックするようにしてあるので、後側係合面２６と爪片１５との係合幅を大きくすることが容易に可能であり、そのようにすることによって、落下衝撃により容易にスライダ２がロック解除されてしまうという事態が防止される。
【００４１】
また、この実施形態では、イジェクトレバー５の上カム面５４ａと横カム面５４ｂとを前後に位置ずれさせることによって、スライダ２を２アクションでロック解除できるようにしてあるけれども、この点は、イジェクトレバー５の上カム面５４ａと横カム面５４ｂとを前後方向で同位置に配備する代わりに、上係合面２６ａと横係合面２６ｂとを前後方向で位置ずれさせておいてもよい。
【００４２】
さらに、後側係合面２６や爪片１５を３つ以上に分割して配備し、イジェクトレバー５のカム面５４をそれらに対応させて３箇所以上の箇所に分割配備することにより、スライダ２のロック解除を、イジェクトレバー５の３以上のアクションで行うことが可能になる。
【００４３】
【発明の効果】
本発明によれば、スライダを押込み位置から待機位置に復帰させるばね体とイジェクトレバーを初期位置に復帰させるばね体とに別々のコイルばねを用いた場合でも、カードコネクタの長さ寸法がそれらのコイルばねの長さを合わせた寸法に影響されなくなるようになってカードコネクタを小形化しやすくなる。
【００４４】
また、スライダをカードセット位置に対応する押込み位置でロックする第２ロック手段を、スライダ側の後側係合面と筐体側の爪片とによって形成したので、両者の係合幅を大きくすることが容易になって落下衝撃やイジェクトレバーの誤動作によりカードが不慮に排出されるという事態を起こりにくくすることが容易に可能になる。
【００４５】
さらに、スライダが待機位置に位置しているときには筐体のカード挿入空間に挿入されたカードがスライダに対してハーフロックされるようにして、必要に応じてそのカードの抜き差しを繰り返すことを可能にしながら、スライダがカードセット位置に対応する押込み位置でロックされたときには、カードを無理抜きすることのできないフルロック状態に維持することができるようになるので、使用者にとっては、カードをカードセット位置に挿入する前に行われた裏返し挿入などの誤挿入を何ら不都合なく修正してカードを適正姿勢に挿入しなおすことができるだけでなく、カードセット位置にカードを挿入した後ではカードが無理抜きされて電気的接続が不慮に遮断されるという事態が起こらない。しかも、カードセット位置にカードを挿入した後では、当該カードコネクタが落下衝撃などの衝撃を受けても、カードがカードセット位置から容易に排出されてしまうという事態も起こらない。
【図面の簡単な説明】
【図１】（Ａ）は実施形態のカードコネクタにおいて、待機位置のスライダにカードがハーフロックされている要部の状態を示した一部破断平面図、（Ｂ）は押込み位置でロックされたスライダにカードがフルロックされている要部の状態を示した一部破断平面図である。
【図２】（Ａ）は図１（Ａ）の状態での要部の縦断側面図、（Ｂ）は図１（Ｂ）の状態での要部の縦断側面図、（Ｃ）はロック解除作用を示した要部の縦断側面図である。
【図３】カードコネクタの外観図である。
【図４】スライダの外観図である。
【図５】イジェクトレバーの要部の外観図である。
【図６】図１（Ｂ）の要部の拡大断面図である。
【符号の説明】
１  筐体
２  スライダ
５  イジェクトレバー
６  筒体
８  ばね片
１２  ボディ
１３  カバー
１４  孔部（ガイド孔部）
１５  爪片
１８  ばね片規制部
２１  第１ばね体
２５  前側係合面
２６  後側係合面
５１  第２ばね体
５３  イジェクトレバーの先端部
５４  カム面
８１  山形部
１００  カード
１２０  凹入部
【図１】
2004185897.tif 000003
【図２】
2004185897.tif 000004
【図３】
2004185897.tif 000005
【図４】
2004185897.tif 000006
【図５】
2004185897.tif 000007
【図６】
2004185897.tif 000008